(57)【要約】【課題】受孔のピッチ寸法に対応して、一対の台座の固着孔間の距離を広範囲に増減調整できるマグネットキャッチを提供する。【解決手段】マグネットを収容したケース本体と、前記ケース本体を装着対象物に固着する一対の台座とを別体に構成し、前記各台座を前記ケース本体の台座挿入用開口から台座格納室に出没される調整用アームと装着対象物への固着孔を有する台座本体とで構成し、前記各調整用アームの内側端部にガイドスロットを設け、前記台座格納室の裏蓋板に前記両ガイドスロットに挿入されるガイド突起を設け、前記台座格納室の別の側壁に当該側壁の厚さ方向に弾性変形する一対の係止舌片を設け、前記各係止舌片の係止用歯列を前記各調整用アームの側面部の被係止用歯列に弾性係合させることによって、前記台座を前記ケース本体に固定保持させ、前記一対の台座の固着孔間の距離を増減調整する。【選択図】図６
2011038341.tif 000002
【特許請求の範囲】
【請求項１】
マグネットを収容したケース本体と、前記ケース本体を装着対象物に固着する一対の台座とを別体に構成し、前記各台座を前記ケース本体の台座挿入用開口から台座格納室に出没される調整用アームと装着対象物への固着孔を有する台座本体とで構成し、前記各調整用アームの内側端部にガイドスロットを設け、前記台座格納室の裏蓋板に前記両ガイドスロットに挿入されるガイド突起を設け、前記台座格納室の別の側壁に当該側壁の厚さ方向に弾性変形する一対の係止舌片を設け、前記各係止舌片の係止用歯列を前記各調整用アームの側面部の被係止用歯列に弾性係合させることによって、前記台座を前記ケース本体に固定保持させ、前記一対の台座の固着孔間の距離を増減調整するようにしたマグネットキャッチ。
【発明の詳細な説明】
【技術分野】
【０００１】
本発明は、機器の製造現場や使用現場などにおいて、二つの対象物を磁気吸着によって連結保持するのに使用されるマグネットキャッチに関する。
【背景技術】
【０００２】
従来使用されているマグネットキャッチは、マグネットを収容したケース本体の左右側面部に台座部を一体に形成し、それら台座部に装着対象物への固着孔を設けている（特許文献１参照）。
【０００３】
特許文献１のマグネットキャッチでは、左右の台座部がケース本体に対して動かないものであるため、前記固着孔間の距離は一定不変であり、装着対象物側の受孔のピッチ寸法が前記固着孔間の距離と合致しないときには、その装着対象物には適用することができなかった。
【０００４】
装着対象物側の受孔のピッチ寸法が異なるごとに、前記固着孔間の距離を変更したマグネットキャッチを製作することは、少品種少量生産となり、製作コストが嵩むことになった。また、前記固着孔間の距離が異なる多種類のマグネットキャッチを生産する場合には、その在庫管理も複雑となった。
【先行技術文献】
【特許文献】
【０００５】
【特許文献１】特開２００８−１９６４６号公報
【発明の概要】
【発明が解決しようとする課題】
【０００６】
本発明の課題は、装着対象物に設けられた受孔のピッチ寸法に対応して、一対の台座の固着孔間の距離を広範囲に増減調整できるマグネットキャッチを提供することである。
【課題を解決するための手段】
【０００７】
本発明のマグネットキャッチは、マグネットを収容したケース本体と、前記ケース本体を装着対象物に固着する一対の台座とを別体に構成し、前記各台座を前記ケース本体の台座挿入用開口から台座格納室に出没される調整用アームと装着対象物への固着孔を有する台座本体とで構成し、前記各調整用アームの内側端部にガイドスロットを設け、前記台座格納室の裏蓋板に前記両ガイドスロットに挿入されるガイド突起を設け、前記台座格納室の別の側壁に当該側壁の厚さ方向に弾性変形する一対の係止舌片を設け、前記各係止舌片の係止用歯列を前記各調整用アームの側面部の被係止用歯列に弾性係合させることによって、前記台座を前記ケース本体に固定保持させ、前記一対の台座の固着孔間の距離を増減調整するものである。
【発明の効果】
【０００８】
このように本発明のマグネットキャッチでは、前記一対の台座を互いに接近または離れる方向にスライドさせることによって、前記調整用アームのガイドスロットの長さと前記裏蓋板のガイド突起の長さの差分の２倍の範囲内において、前記ケース本体に対する前記一対の台座の配置位置を変更することができ、そして、前記台座格納室の別の側壁に設けた一対の係止舌片の係止用歯列を前記各調整用アームの側面部の被係止用歯列に弾性係合させることによって、前記一対の台座を当該変更位置において前記ケース本体に固定保持させることができる。すなわち、本発明によれば、装着対象物に設けられた受孔のピッチ寸法に対応して、前記一対の台座の固着孔間の距離を簡単かつ的確に増減調整することができ、固着具の受孔のピッチ寸法が異なる各種の装着対象物に広範に使用することができる。
【０００９】
受孔のピッチ寸法が異なる多種類の装着対象物に対して、１種類のマグネットキャッチで対応するすることができるため、大量生産による生産コストの節減が可能であり、在庫管理も簡略化される。
【図面の簡単な説明】
【００１０】
【図１】図１は本発明の一実施例に係るマグネットキャッチの正面図であり、左右一対の台座はケース本体に最も深く挿入された状態にある。
【図２】図２は図１のマグネットキャッチの平面図である。
【図３】図３は図１のマグネットキャッチの底面図である。
【図４】図４は図１のマグネットキャッチの左側面図である。
【図５】図５は図１のマグネットキャッチの右側面図である。
【図６】図６は図１のＡ−Ａ線断面図である。
【図７】図７は図１のＢ−Ｂ線断面図である。
【図８】図８は図２のＣ−Ｃ線断面図である。
【図９】図９は図１のＤ−Ｄ線断面図である。
【図１０】図１０は図１のマグネットキャッチと組み合わせて使用される受け具の正面図である。
【図１１】図１１は図１０の受け具の平面図である。
【図１２】図１２は図１０のＥ−Ｅ線断面図である。
【図１３】図１３は図１のマグネットキャッチと図１０の受け具の使用状態の正面図であり、磁気吸着が解除された状態を示している。
【図１４】図１４は図１のマグネットキャッチに使用したケース本体の正面図である。
【図１５】図１５は図１４のケース本体の平面図である。
【図１６】図１６は図１４のケース本体の左側面図である。
【図１７】図１７は図１４のケース本体の右側面図である。
【図１８】図１８は図１４のＦ−Ｆ線断面図である。
【図１９】図１９は図１６のＧ−Ｇ線断面図である。
【図２０】図２０は図１４のＨ−Ｈ線断面図である。
【図２１】図２１は図２０の鎖線円部分の拡大図である。
【図２２】図２２は図１のマグネットキャッチに使用した左側の台座の正面図である。
【図２３】図２３は図２２の台座の背面図である。
【図２４】図２４は図２２の台座の平面図である。
【図２５】図２５は図２２の台座の底面図である。
【図２６】図２６は図２２の台座の右側面図である。
【図２７】図２７は図２２のＩ−Ｉ線断面図である。
【図２８】図２８は図１のマグネットキャッチに使用した右側の台座の正面図である。
【図２９】図２９は図２８の台座の平面図である。
【図３０】図３０は図２８の台座の底面図である。
【図３１】図３１は図２８の台座の左側面図である。
【図３２】図３２は図２８のＪ−Ｊ線断面図である。
【図３３】図３３は図１のマグネットキャッチに使用した裏蓋板の正面図である。
【図３４】図３４は図３３の裏蓋板の平面図である。
【図３５】図３５は図３３の裏蓋板の右側面図である。
【図３６】図３６は図３４のＫ−Ｋ線断面図である。
【実施例】
【００１１】
図示の実施例では、磁束易透過性合成樹脂で成形されたケース本体１には、マグネット収容室２と台座格納室３が隣接して設けられており、台座格納室３の左右一対の側壁４，５には台座挿入用開口６，７が設けられている。マグネット収容室２にマグネット８を収容した後、マグネット収容室２と台座格納室３間の段差部９には内蓋板１０が軽圧入され、内蓋板１０がケース本体１にウェルダー溶着によって密封されている。これによって、このマグネットキャッチは、半導体製造設備のクリーンルームにも適用することができる。
【００１２】
左右一対の台座１１，１２は、台座挿入用開口６，７から台座格納室３に出没される調整用アーム１３，１４と装着対象物１５への固着孔１８，１９を有する台座本体１６，１７が一体形成されたものである。台座挿入用開口６，７は矩形の一方の長辺にオフセット状に凹部２０，２１を形成したものであり、調整用アーム１３，１４の横断面の外周輪郭には、凹部２０，２１に嵌合する凸部２２，２３が形成されている。また、左側の台座１１の調整用アーム１３の上面には、凸部２２に隣接して窪み部２４が形成され、右側の台座１２の調整用アーム１４の下面には、凸部２３に隣接して隆起部２５が形成され、隆起部２５が窪み部２４に嵌合する。これらの嵌合の総合作用として、左右一対の台座１１，１２は緊密に組立てられており、左右方向に相対的にスライドしたどの位置においても揺らぐことがない。
【００１３】
台座格納室３の裏面開口には裏蓋板２６の前後側面には断面が直角三角形状の逆止め突起２７，２８が設けられており、これに対応して台座格納室３の前後一対の側壁２９，３０の内面には断面直角三角形状の逆止め凹部３１，３２が設けられている。裏蓋板２６を台座格納室３の裏面開口に圧力を掛けて嵌め込むとき、逆止め突起２７，２８が逆止め凹部３１，３２に係合することによって、裏蓋板２６はケース本体１に堅固に固定される。これらの直角三角形状の逆止め突起と逆止め凹部は、前後左右の４辺に設けることもできる。
【００１４】
左右一対の台座１１，１２の調整用アーム１３，１４の内側端部には、当該台座のスライド方向に長いガイドスロット３３，３４を設けてある。調整用アーム１３，１４を最も深く台座格納室３に押し入れたとき、各ガイドスロット３３，３４の根元部分が重なり合う位置関係にある。裏蓋板２６の内面のほぼ中央部には、両ガイドスロット３３，３４に挿入されるガイド突起３５が設けられている。ガイド突起３５の先端面は、右側の台座１２の調整アーム１４とともに内蓋板１０に当接している。裏蓋板２６の主体部内面は、左側の台座１１の調整アーム１３に当接している。
【００１５】
台座挿入用開口６，７を設けた側壁４，５と直交する台座格納室３の前面側壁４２には、左右一対の係止舌片３６，３７が設けられている。係止舌片３６，３７は矩形の３辺が側壁４２の母材から切断された形のものであり、切り残された１辺部を支点として当該側壁４２の厚さ方向に弾性変形するものである。各係止舌片３６，３７の先端部内面側には、係止用歯列３８，３９が２個ずつ設けられている。各調整用アーム１３，１４の側面部には、被係止用歯列４０，４１が６個ずつ設けられている。これらの係止用歯列３８，３９が被係止用歯列４０，４１と弾性係合することによって、台座１１，１２はケース本体１に対して堅固に保持される。
台座１１，１２がケース本体１に接近した位置あるいはケース本体１から離間した位置を取ることによって、台座本体１６，１７の装着対象物１５への固着孔１８，１９間の距離が変更される。
【００１６】
マグネットキャッチ４３に磁気吸着される受け具４４は、磁束易透過性合成樹脂で成形されたケース４５に磁性板４６を収容した後、裏板４７をウェルダー溶着して密封したものである。マグネットキャッチ４３は、台座本体１６，１７の固着孔１８，１９から装着対象物１５の受孔４８，４９に挿入される合成樹脂製ボルト・ナット５０，５１によって、装着対象物１５に締め付け固着される。受具４４は、ケース４５の固着孔５２，５３から別の装着対象物５４の受孔５５，５６に挿入される合成樹脂製ボルト・ナット５７，５８によって、別の装着対象物５４に締め付け固着される。
【符号の説明】
【００１７】
１  マグネットキャッチのケース本体
２  マグネット収容室
３  台座格納室
４  台座格納室の側壁
５  台座格納室の側壁
６  台座挿入用開口
７  台座挿入用開口
８  マグネット
９  段差部
１０  内蓋板
１１  台座
１２  台座
１３  調整用アーム
１４  調整用アーム
１５  マグネットキャッチの装着対象物
１６  台座本体
１７  台座本体
１８  装着対象物への固着孔
１９  装着対象物への固着孔
２０  台座挿入用開口の凹部
２１  台座挿入用開口の凹部
２２  調整用アームの凸部
２３  調整用アームの凸部
２４  調整用アームの窪み部
２５  調整用アームの隆起部
２６  裏蓋板
２７  裏蓋板の逆止め突起
２８  裏蓋板の逆止め突起
２９  台座格納室の側壁
３０  台座格納室の側壁
３１  台座格納室の逆止め凹部
３２  台座格納室の逆止め凹部
３３  調整用アームのガイドスロット
３４  調整用アームのガイドスロット
３５  ガイド突起
３６  係止舌片
３７  係止舌片
３８  係止用歯列
３９  係止用歯列
４０  被係止用歯列
４１  被係止用歯列
４２  台座格納室の前面側壁
４３  マグネットキャッチ
４４  受け具
４５  受け具のケース
４６  磁性板
４７  受け具の裏板
４８  装着対象物の受孔
４９  装着対象物の受孔
５０  ボルト・ナット
５１  ボルト・ナット
５２  ケースの固着孔
５３  ケースの固着孔
５４  別の装着対象物
５５  別の装着対象物の受孔
５６  別の装着対象物の受孔
５７  ボルト・ナット
５８  ボルト・ナット
【図１】
2011038341.tif 000003
【図２】
2011038341.tif 000004
【図３】
2011038341.tif 000005
【図４】
2011038341.tif 000006
【図５】
2011038341.tif 000007
【図６】
2011038341.tif 000008
【図７】
2011038341.tif 000009
【図８】
2011038341.tif 000010
【図９】
2011038341.tif 000011
【図１０】
2011038341.tif 000012
【図１１】
2011038341.tif 000013
【図１２】
2011038341.tif 000014
【図１３】
2011038341.tif 000015
【図１４】
2011038341.tif 000016
【図１５】
2011038341.tif 000017
【図１６】
2011038341.tif 000018
【図１７】
2011038341.tif 000019
【図１８】
2011038341.tif 000020
【図１９】
2011038341.tif 000021
【図２０】
2011038341.tif 000022
【図２１】
2011038341.tif 000023
【図２２】
2011038341.tif 000024
【図２３】
2011038341.tif 000025
【図２４】
2011038341.tif 000026
【図２５】
2011038341.tif 000027
【図２６】
2011038341.tif 000028
【図２７】
2011038341.tif 000029
【図２８】
2011038341.tif 000030
【図２９】
2011038341.tif 000031
【図３０】
2011038341.tif 000032
【図３１】
2011038341.tif 000033
【図３２】
2011038341.tif 000034
【図３３】
2011038341.tif 000035
【図３４】
2011038341.tif 000036
【図３５】
2011038341.tif 000037
【図３６】
2011038341.tif 000038